(57)【要約】【課題】  ガラス窓への加熱及び叩打による破損を防止して不侵者の侵入を遮断する。【解決手段】  ガラス繊維からなる基材の両面に塩化ビニル樹脂をコーティングした耐熱シート１の室内面側に加熱により発色する非可逆性の感熱塗料でガラス窓５が加熱されて被害があったことを示す文字を形成し、住宅のガラス窓５の錠６を含むその近傍に透明の粘着シートを用いて円形となるように貼着し、ガラス窓５の室外面側に耐熱塗料で防犯対策したガラス窓であることを示す文字を形成する。【選択図】図１
2006057338.tif 000002
【特許請求の範囲】
【請求項１】
ガラス窓への加熱及び叩打による破損を防止して不侵者の侵入を遮断するガラス窓の防犯構造であって、ガラス窓の少なくとも錠を含む近傍のガラス面に不燃性及び加熱に対して難溶性を備えた耐熱シートを貼着し、同シートを燃焼又は溶解し難くして割れたガラスの飛散を防止することでガラス窓を容易に焼き破りできないようにしたことを特徴とするガラス窓の防犯構造。
【請求項２】
耐熱シートをガラス窓の室内面側に貼着した請求項１記載のガラス窓の防犯構造。
【請求項３】
ガラス窓又は耐熱シートの室内面側に加熱により発色又は変色する非可逆性の感熱塗料で特定の文字又は絵柄を形成し、ガラス窓が加熱されると前記文字又は絵柄がガラス面に現出又は変色するようにした請求項１又は２記載のガラス窓の防犯構造。
【請求項４】
ガラス窓又は耐熱シートの片面又は両面に加熱により膨張して断熱層を形成する耐火被覆材を塗工した請求項１〜３いずれか記載のガラス窓の防犯構造。
【請求項５】
耐熱シートの片面又は両面に識別用又は特定できる成分を含有する追跡用の塗料が封入された液層を形成し、シートの破断時に液層から塗料が漏出して不侵者の身体に付着されるようにした請求項１〜４いずれか記載のガラス窓の防犯構造。
【請求項６】
耐熱シートの片面又は両面に臭覚識別用の臭気剤が封入された臭気層を形成し、シートの破断時に臭気層から臭気剤が漏出して不侵者の身体に付着されるようにした請求項１〜５いずれか記載のガラス窓の防犯構造。
【請求項７】
耐熱シートが、ガラス繊維からなる基材の片面又は両面にゴム又は合成樹脂をコーティングしたターポリンである請求項１〜６いずれか記載のガラス窓の防犯構造。
【請求項８】
耐熱シートの室内面側に模様を印刷した請求項１〜７いずれか記載のガラス窓の防犯構造。
【請求項９】
ガラス窓又は耐熱シートの片面に防犯対策したガラス窓であることを示す文字又は絵柄を耐熱塗料で形成した請求項１〜８いずれか記載のガラス窓の防犯構造。
【発明の詳細な説明】
【技術分野】
【０００１】
本発明は、主として家屋の開口部に設けられるガラス窓の防犯構造に関し、詳しくは加熱及び叩打によるガラス窓の焼き破りを防止する技術に関する。
【背景技術】
【０００２】
従来、家屋への不正な侵入方法としては、特殊な器具を用いて玄関を開錠する方法（ピッキング）やガラス窓をハンマー等で割って開錠する方法などがあり、特に短時間で侵入できる後者のガラス窓を割る方法による犯罪が急増している。この後者の方法による侵入に対しては、ガラスが割れた際の飛散防止を目的とする技術を応用した各種の防犯フィルムが商品化され、実用に供している。
【０００３】
ところで、これらの防犯フィルムは熱可塑性のポリエステルやＰＥＴ等からなる合成樹脂フィルムが一般的に用いられている。近年では、強力ライターやバーナー等で直接ガラス窓を加熱した後冷水を吹き付けて急速に冷却することで、ガラスを脆化したりひび割れを生じさせてより短時間に且つ小さい音で割る方法が考え出されている。この方法では防犯フィルムも容易に溶解してしまうため、防犯効果を損なう問題がある。
【特許文献１】特開２００１−２１４６７３号公報
【特許文献２】特開２００３−２０８２６号公報
【発明の開示】
【発明が解決しようとする課題】
【０００４】
本発明が解決しようとする課題は、従来のこれらの問題点を解消し、ガラス窓への加熱及び叩打による破損を防止して不侵者の侵入を遮断できるガラス窓の防犯構造を提供することにある。
【課題を解決するための手段】
【０００５】
かかる課題を解決した本発明の構成は、
１）  ガラス窓への加熱及び叩打による破損を防止して不侵者の侵入を遮断するガラス窓の防犯構造であって、ガラス窓の少なくとも錠を含む近傍のガラス面に不燃性及び加熱に対して難溶性を備えた耐熱シートを貼着し、同シートを燃焼又は溶解し難くして割れたガラスの飛散を防止することでガラス窓を容易に焼き破りできないようにしたことを特徴とするガラス窓の防犯構造
２）  耐熱シートをガラス窓の室内面側に貼着した前記１）記載のガラス窓の防犯構造
３）  ガラス窓又は耐熱シートの室内面側に加熱により発色又は変色する非可逆性の感熱塗料で特定の文字又は絵柄を形成し、ガラス窓が加熱されると前記文字又は絵柄がガラス面に現出又は変色するようにした前記１）又は２）記載のガラス窓の防犯構造
４）  ガラス窓又は耐熱シートの片面又は両面に加熱により膨張して断熱層を形成する耐火被覆材を塗工した前記１）〜３）いずれか記載のガラス窓の防犯構造
５）  耐熱シートの片面又は両面に識別用又は特定できる成分を含有する追跡用の塗料が封入された液層を形成し、シートの破断時に液層から塗料が漏出して不侵者の身体に付着されるようにした前記１）〜４）いずれか記載のガラス窓の防犯構造
６）  耐熱シートの片面又は両面に臭覚識別用の臭気剤が封入された臭気層を形成し、シートの破断時に臭気層から臭気剤が漏出して不侵者の身体に付着されるようにした前記１）〜５）いずれか記載のガラス窓の防犯構造
７）  耐熱シートが、ガラス繊維からなる基材の片面又は両面にゴム又は合成樹脂をコーティングしたターポリンである前記１）〜６）いずれか記載のガラス窓の防犯構造
８）  耐熱シートの室内面側に模様を印刷した前記１）〜７）いずれか記載のガラス窓の防犯構造
９）  ガラス窓又は耐熱シートの片面に防犯対策したガラス窓であることを示す文字又は絵柄を耐熱塗料で形成した前記１）〜８）いずれか記載のガラス窓の防犯構造
にある。
【発明の効果】
【０００６】
本発明によれば、ガラス窓に貼着するシートが耐熱性を有しているから、強力ライターやバーナー等で加熱してもシートが従来の防犯フィルムのように容易に燃焼又は溶解することがなく、ガラス窓を焼き破るまでに時間を要して侵入が困難となる。
【発明を実施するための最良の形態】
【０００７】
本発明の耐熱シートとしては、不燃性の基布の片面又は両面にゴム又は合成樹脂をコーティングしたターポリン（例えばカンボウプラス株式会社のＦＧ−８Ｆ：製品名）や、ガラス繊維からなる基布の表面にフッ素樹脂と塩化ビニル樹脂をコーティングし、裏面にアクリル樹脂をコーティングした不燃シート（例えばカンボウプラス株式会社の不燃ＦＦシートＳＰ−２０００ＦＧ：製品名）が一般的に用いられる。基布としては、ナイロン，ポリエステル，アクリル，ポリプロピレン，フッ素系樹脂，ガラス繊維，その他天然繊維の織布又は不織布があり、不燃性を有するガラス繊維が望ましい。合成樹脂としては、塩化ビニル樹脂，エチレン−酢酸ビニル共重合体等、常用のものが用いられ、必要に応じて公知の難燃剤を混入してもよい。以下、本発明の実施例を図面に基づいて具体的に説明する。
【実施例１】
【０００８】
図１は実施例の耐熱シートを貼着したガラス窓の正面図、図２は実施例の耐熱シートを貼着したガラス窓の断面図、図３は実施例の耐熱シートの室外面側の正面図、図４は実施例の耐熱シートの加熱による変化を示す正面図、図５は実施例の他の例の加熱による耐火被覆材の膨張を示す断面図、図６は実施例の他の例の耐熱シートの断面図である。
【０００９】
本実施例の耐熱シート１は、ガラス繊維からなる基材の両面に塩化ビニル樹脂をコーティングしたもので、カンボウプラス株式会社のＦＧ−８Ｆ（製品名）を用いている。この耐熱シート１の室内面側には加熱により発色する公知の非可逆性の感熱塗料でガラス窓が加熱されて被害があったことを示す文字３を形成する。
【００１０】
この耐熱シート１を円弧状に形成し、図１に示すように住宅のガラス窓５の錠６を含むその近傍にリンテック株式会社のＬＡＧマウントＰ−３０７ＲＣ（製品名）からなる透明の粘着シート２を用いて円形となるように貼着する。この耐熱シート１の室内面側は白色であるが、必要に応じて感熱塗料の形成前に景色等の写真その他絵柄を印刷して違和感を低減してもよい。また、ガラス窓５の室外面側に公知の耐熱塗料で防犯対策したガラス窓であることを示す文字４を形成してもよい。
【００１１】
上記耐熱シート１を貼着したガラス窓５について以下の実験を行なった。
１）風が吹いても消えない強力な内燃ライターでガラス窓５の錠６付近を室外側から加熱した。
２）およそ１分でガラス窓５にヒビが入った。この時点で室内面側の耐熱シート１の表面に感熱塗料による文字３が現出しており、加熱された形跡が残っている。
３）加熱した部分を中心に大型のハンマーで力を入れて叩打すると、ガラス窓５が割れたが室内面側に貼着した耐熱シート１がクッションとなって飛散せず、耐熱シート１の破断もなかった。また、無理に破断しようとしたが、耐熱シート１の基材がガラス繊維であり、ハンマーでは破断できなかった。
【００１２】
このように、本実施例によれば、ガラス窓に貼着するシートが耐熱性を有しているから、強力ライターやバーナー等で加熱してもシートが従来の防犯フィルムのように容易に燃焼又は溶解することがなく、ガラス窓を焼き破るまでに時間を要して侵入が困難となる。
【００１３】
図５，６に示すのは実施例の他の例のガラス窓の防犯構造を示している。図５に示すのは、ガラス窓５の錠６を含むその近傍の室外面側に加熱により発泡する発泡剤を混入した公知の耐火被覆材７を塗工しており、加熱すると耐火被覆材７内の発泡剤が発泡・膨張して所定厚さの断熱層７ａが形成され、ガラス窓５へ熱が伝わり難くなってガラス窓５の脆化やヒビの発生及び叩打による破損を遅延させる。
【００１４】
図６に示すのは、耐熱シート１の内部に識別用の蛍光塗料や特定できる成分を含有した追跡用の塗料を封入した液層８を面に沿って形成したもので、耐熱シート１の破断時に液層８の塗料が漏出し、錠６を開錠しようと割れたガラス窓５から侵入させた不侵者の腕に塗料が付着し、その後の不侵者の捜査及び特定を容易にする。また、この液層８に代えて特有の臭気を発生させる臭気剤を封入した臭気層９を形成すると、同様に漏出した臭気剤が不侵者の腕に付着し、警察犬による追跡を容易にする。
【産業上の利用可能性】
【００１５】
本発明のガラス窓の防犯構造は、一般住宅，店舗，事務所等に好適に用いられる。
【図面の簡単な説明】
【００１６】
【図１】実施例の耐熱シートを貼着したガラス窓の正面図である。
【図２】実施例の耐熱シートを貼着したガラス窓の断面図である。
【図３】実施例の耐熱シートの室外面側の正面図である。
【図４】実施例の耐熱シートの加熱による変化を示す正面図である。
【図５】実施例の他の例の加熱による耐火被覆材の膨張を示す断面図である。
【図６】実施例の他の例の耐熱シートの断面図である。
【符号の説明】
【００１７】
１  耐熱シート
２  粘着シート
３，４  文字
５  ガラス窓
６  錠
７  耐火被覆材
７ａ  断熱層
８  液層
９  臭気層
【図１】
2006057338.tif 000003
【図２】
2006057338.tif 000004
【図３】
2006057338.tif 000005
【図４】
2006057338.tif 000006
【図５】
2006057338.tif 000007
【図６】
2006057338.tif 000008